(57)【要約】【課題】露出構造に適し、十分な強度が得られ、少ない種類の階段用部品で組立も容易に行える階段装置を提供する。【解決手段】直線状に配設される階段装置であって、踏み桟部２の左右両側に側部桁３，３を一体に形成した同一形状または略同一形状の複数の組立ユニット１を具備し、組立ユニット１の左右の側部桁３，３に、上段側に隣接して連結される組立ユニット１に対する上段連結部６と、下段側に隣接して連結される組立ユニット１に対する下段連結部５とをそれぞれ設け、上段連結部６と下段連結部５とをボルト・ナットＢ１により連結してユニット群１０を形成した。【選択図】図１
2007126912.tif 000002
【特許請求の範囲】
【請求項１】
直線部に配設される階段装置であって、
踏み桟部の左右両側に側部桁を一体に形成した同一形状または略同一形状の複数の組立ユニットを具備し、
前記組立ユニットの左右の側部桁に、上段側に隣接して連結される組立ユニットに対する上段連結部と、下段側に隣接して連結される組立ユニットに対する下段連結部とを設け、
前記組立ユニットの上段連結部と下段連結部とを連結してユニット群を形成した
階段装置。
【請求項２】
アール部に配設される階段装置であって、
踏み桟部の左右両側に側部桁を一体に形成した同一形状または略同一形状の複数の組立ユニットとを具備し、
前記踏み桟部が平面視でアール部の湾曲軸を中心とする所定角の扇形台状に形成されるとともに、前記左右の側桁部が平面視で前記湾曲軸を中心とする円弧状にそれぞれ形成され、
前記組立ユニットの左右の側部桁に、上段側に隣接して連結される組立ユニットに対する上段連結部と、下段側に隣接して連結される組立ユニットへの下段連結部とを設け、
前記組立ユニットの上段連結部と下段連結部とを連結してユニット群を形成した
階段装置。
【請求項３】
折り返し部に配設される階段装置であって、
踏み桟部の左右両側に側部桁を一体形成した同一形状および対称形状の複数の組立ユニットを具備し、
前記組立ユニットの左右の側部桁に、上段側に隣接して連結される組立ユニットに対する上段連結部と、下段側に隣接して連結される組立ユニットに対する下段連結部とをそれぞれ設け、
前記踏み桟部の左右の辺部が、折り返し部の内側より外側が長い平面視台形状に形成されるとともに、左右の側桁部のうち、折り返し部の内側の奥行き幅が小さく、折り返し部の外側の奥行き幅が大きく形成された
階段装置。
【請求項４】
左右の側桁部は、踏み桟部の左右両端部から下方に折り曲げられて正面視が門方に形成され、
各組立ユニットの上端連結部が前記側部桁の後面上部に形成されるとともに、下段連結部が前記側部桁の前面下部にそれぞれ形成され、
下段側の組立ユニットから上段側の組立ユニットに後面側に順次重ねて連結しユニット群を形成する
請求項１乃至３のいずれかに記載の階段装置。
【請求項５】
左右の側桁部は、踏み桟部の左右両端部から下方に折り曲げられて正面視が門方に形成され、
各組立ユニットの上端連結部が前記側部桁の上面で後面側に形成されるとともに、下段連結部が前記側部桁の下面で前面側に形成され、
下段側の組立ユニットから上段側の組立ユニットに段積み状に重ねて連結しユニット群を形成する
請求項１乃至３のいずれかに記載の階段装置。
【請求項６】
ユニット群の左右の側桁部に対応して、傾斜方向に沿う傾斜材をそれぞれ配置し、
左右の各側桁部に、前記傾斜材と連結固定される連結支持部をそれぞれ設けた
請求項１，２，４または５のいずれかに記載の階段装置。
【請求項７】
仮設工事の終了後に、各踏み桟部上に、仕上げ用踏み板をそれぞれ設置する
請求項１乃至６のいずれかに記載の階段装置。
【発明の詳細な説明】
【技術分野】
【０００１】
本発明は、同一形状の複数の組立ユニットを使用して組立てられ、屋内を広く見せることができる露出構造に適した階段装置に関する。
【背景技術】
【０００２】
従来、同一の階段用部品を使用して組立てられる階段装置には、たとえば特許文献１や特許文献２がある。
特許文献１には、直角三角形の取付補強用側板に、水平板を上辺部に一体に設けるとともに起立板を垂直辺部に一体に設けた３連一体の階段用組立具を具備し、取付補強用側板を側壁板の内面にそれぞれを取り付けて左右の取付補強用側板の水平板の間に踏板を横架したものが開示されている。
【０００３】
また特許文献２には、受梁に、互いに連結された前部取付部材と後部取付部材を固定し、左右の前部取付部材と後部取付部材間に、連結された３つの階段片を掛渡して固定したものが開示されている。
【特許文献１】特開平６−２９４１９２号公報（図１）
【特許文献２】特開平１０−８８７５９号公報（図１）
【発明の開示】
【発明が解決しようとする課題】
【０００４】
近年の建築物では、室内を広く見せるために、階段の構造フレームを露出させる露出構造の階段が多く採用されている。
しかし、上記引用文献１では側壁板により階段全体の重量が支持され、また引用文献２では、受梁により階段全体の重量が支持されている。このように階段全体の重量を支持する側壁板や受梁のように高強度な支持部材が必要であり、これら支持部材を含めて階段装置が大型化される。また複数種類の階段用部品が必要で組立作業も複雑になる傾向にあり、それぞれ露出構造の階段には不向きである。
【０００５】
本発明は上記問題点を解決して、露出構造に適し、十分な強度が得られ、少ない種類の階段用部品で組立も容易に行える階段装置を提供することを目的とする。
【課題を解決するための手段】
【０００６】
請求項１記載の発明は、直線部に配設される階段装置であって、踏み桟部の左右両側に側部桁を一体に形成した同一形状または略同一形状の複数の組立ユニットを具備し、前記組立ユニットの左右の側部桁に、上段側に隣接して連結される組立ユニットに対する上段連結部と、下段側に隣接して連結される組立ユニットに対する下段連結部とを設け、前記組立ユニットの上段連結部と下段連結部とを連結してユニット群を形成したものである。
【０００７】
請求項２記載の発明は、アール部に配設される階段装置であって、踏み桟部の左右両側に側部桁を一体に形成した同一形状または略同一形状の複数の組立ユニットとを具備し、前記踏み桟部が平面視でアール部の湾曲軸を中心とする所定角の扇形台状に形成されるとともに、前記左右の側桁部が平面視で前記湾曲軸を中心とする円弧状にそれぞれ形成され、前記組立ユニットの左右の側部桁に、上段側に隣接して連結される組立ユニットに対する上段連結部と、下段側に隣接して連結される組立ユニットへの下段連結部とを設け、前記組立ユニットの上段連結部と下段連結部とを連結してユニット群を形成したものである。
【０００８】
請求項３記載の発明は、折り返し部に配設される階段装置であって、踏み桟部の左右両側に側部桁を一体形成した同一形状および対称形状の複数の組立ユニットを具備し、前記組立ユニットの左右の側部桁に、上段側に隣接して連結される組立ユニットに対する上段連結部と、下段側に隣接して連結される組立ユニットに対する下段連結部とをそれぞれ設け、前記踏み桟部の左右の辺部が、折り返し部の内側より外側が長い平面視台形状に形成されるとともに、左右の側桁部のうち、折り返し部の内側の奥行き幅が小さく、折り返し部の外側の奥行き幅が大きく形成されたものである。
【０００９】
請求項４記載の発明は、請求項１乃至３のいずれかに記載の発明において、左右の側桁部は、踏み桟部の左右両端部から下方に折り曲げられて正面視が門方に形成され、各組立ユニットの上端連結部が前記側部桁の後面上部に形成されるとともに、下段連結部が前記側部桁の前面下部にそれぞれ形成され、下段側の組立ユニットから上段側の組立ユニットに後面側に順次重ねて連結しユニット群を形成するものである。
【００１０】
請求項５記載の発明は、請求項１乃至３のいずれかに記載の発明において、左右の側桁部は、踏み桟部の左右両端部から下方に折り曲げられて正面視が門方に形成され、各組立ユニットの上端連結部が前記側部桁の上面で後面側に形成されるとともに、下段連結部が前記側部桁の下面で前面側に形成され、各組立ユニットは、下段側から上段側にかけて段積み状に連結してユニット群を形成するものである。
【００１１】
請求項６記載の発明は、請求項１，２，４または５のいずれかに記載の発明において、ユニット群の左右の側桁部に対応して、傾斜方向に沿う傾斜材をそれぞれ配置し、左右の各側桁部に、前記傾斜材と連結固定される連結支持部をそれぞれ設けたものである。
【００１２】
請求項７記載の発明は、請求項１乃至６のいずれかに記載の発明において、仮設工事の終了後に、各踏み桟部上に、仕上げ用踏み板をそれぞれ設置するものである。
【発明の効果】
【００１３】
請求項１記載の発明によれば、同一形状または略同一形状の複数の組立ユニットを上段連結部および下段連結部を介して互いに連結することにより、階段にかかる荷重を十分に支持可能な十分な強度を有する直線部に沿うユニット群を組立てることができる。これにより、少ない種類の階段用部品で容易にかつ短時間に階段装置を組み立てることができ、露出構造に適した直線状に配設される階段装置を提供することができる。
【００１４】
請求項２記載の発明によれば、同一形状または略同一形状の複数の組立ユニットを上段連結部および下段連結部を介して互いに連結することにより、階段にかかる荷重を十分に支持可能な強度を有するアール部に沿うユニット群を組立てることができる。これにより、少ない種類の階段用部品で容易にかつ短時間にアール部の階段装置を組み立てることができ、露出構造に適した階段装置を提供することができる。
【００１５】
請求項３記載の発明によれば、同一形状または対称形状の複数の組立ユニットを上段連結部および下段連結部を介して互いに連結することにより、階段にかかる荷重を十分に支持可能な強度を有する折り返し部に沿うユニット群を組立てることができる。これにより、少ない種類の階段用部品で容易にかつ短時間で折り返し部の階段装置を組み立てることができ、露出構造に適した階段装置を提供することができる。
【００１６】
請求項４記載の発明によれば、門形状の組立ユニットを使用し、各組立ユニットの後面側に順次重ねるように連結してユニット群を形成するので、連結作業時にボルト・ナットなどの連結具の落下を少なく、各組立ユニットの位置決めも容易で、組立時間を短縮することができる。
【００１７】
請求項５記載の発明によれば、門形状の組立ユニットを使用し、各組立ユニットを下段側から上段側にかけて段積み状に連結してユニット群を形成するので、より安定感のある階段装置を提供することができる。
【００１８】
請求項６記載の発明によれば、側桁部を支持する傾斜材を設けたので、ユニット群の上下方向のたわみと左右の振れを最小にすることができ、高強度な階段装置を形成することができる。
【００１９】
請求項７記載の発明によれば、仮設工事中は、組立ユニットによりユニット群を組み立てて取り付け、そのままの状態で階段装置として使用する。仮設工事が終了すると、仕上げ用踏み板を踏み残部にそれぞれ取り付けて覆うことにより、外観に優れた階段装置を形成することができる。
【発明を実施するための最良の形態】
【００２０】
以下、本発明の実施の形態１〜６を図面に基づいて説明する。
この階段装置は、複数の組立ユニットを前後の傾斜方向に連結固定してユニット群を形成し、これを階段装置としたもので、前記組立ユニットは、たとえば鋼板やアルミニウム合金板、強化樹脂板、金属と樹脂の複合板、木製板材などから折り曲げ、溶接、鋳造、組立などの加工により製造されるが、ここではたとえば鋼板の場合を説明する。
【００２１】
［実施の形態１］
屋内または屋外の直線部に配設される露出構造の階段装置に係るもので、複数の同一形状の組立ユニット１と略同一形状の組立ユニット１’を使用し、下段側の組立ユニット１の後面に上段側の組立ユニット１を配置して、順次前後に重ねるように連結固定しユニット群１０を組み立てるものである。図１〜図３を参照して説明する。
【００２２】
組立ユニット１は、図１に示すように、横長矩形状の踏み桟部２と、この踏み桟部２の左右両側で下方に直角に折り曲げて一体形成された左右の側桁部３，３とで正面視が門形に形成されている。
【００２３】
前記踏み桟部２は、板状の踏み桟本体２ａと、踏み桟本体２ａの前辺部および後辺部に沿ってそれぞれ下方に直角に折り曲げられた補強前板２ｂおよび補強後板２ｃを有している。また側桁部３は、矩形板状の側桁本体３ａと、側桁本体３ａの前辺部および後辺部からそれぞれ内側に直角に折り曲げられた前辺板３ｂおよび後辺板３ｃを有している。また踏み桟部２の踏み板本体２ａと左右の側桁部３，３の側桁本体３ａ，３ａとにわたって凹状の補強凹部４，４がたとえば４５度の傾斜状に形成されている。
【００２４】
そして前記側桁部３の前辺板３ｂの下部が、連結用のボルト穴５ａを有する下段連結部５に構成され、また側桁部３の後辺板３ｃの上部が、連結用のボルト穴６ａを有する上段連結部６に構成される。
【００２５】
また階段装置を設置する下階の床部ＤＦと、上階の床部ＵＦの取付部材１３との間に傾斜方向に沿って左右一対の傾斜材１１，１１が、左右の側桁部３，３に対応して設置され、前記傾斜材１１，１１はアングル形断面でその垂直面に複数の支持用のボルト穴１１ａがそれぞれ所定位置に形成されている。また側桁部３の側桁本体３ａで後部下方のコーナー部分に、支持ボルト穴７ａを有する支持連結部７が設けられている。これらに傾斜材１１，１１によりユニット群１０の上下方向のたわみと左右方向の振れを低減させることができる。
【００２６】
図３において、１２は組立ユニット１０を中間部で傾斜材１１を介してそれぞれ支持するための階段用支柱材である。ここで、略同一形状の組立ユニット１’とは最下段の高さの低いものをいい、高さ以外は同一構造である。なお、図示していないが、公知の構造の階段手すりが適宜取り付けられる。
【００２７】
上記階段装置を組み立てる場合、下階の床部ＤＦと上階の床部ＵＦの取付部材１３との間に左右一対の傾斜材１１，１１を設置する。そして複数の組立ユニット１を前後に配置し、下段連結部５のボルト穴５ａと上段連結部６のボルト穴６ａに連結具であるボルト・ナットＢ１を挿通して締結し、下段側および上段側に隣接する複数の組立ユニット１を順次前後に重ねるように連結しユニット群１０を形成しつつ、適宜、傾斜材１１のボルト穴１１ａと支持連結部７の支持ボルト穴７ａとを連結具であるボルト・ナットＢ２を挿通して締結し、傾斜材１１と左右の側桁部３とを支持連結部７を介して連結する。
【００２８】
この階段装置は、ユニット群１０のままの状態で仮設工事に使用され、仮設工事が終わると、図２，図３に示すように、踏み桟本体２ａ上に踏み桟本体２ａより左右幅の広い仕上げ用の踏み板１５を取付ビスＢ３を介して取り付け外観仕上げする。さらに必要に応じて蹴り込み板（図示せず）を取り付ける。
【００２９】
上記実施の形態１によれば、同一形状の複数の組立ユニット１および略同一形状の組立ユニット１’を上段連結部６および下段連結部５を介して前後に重なるように連結することにより、階段にかかる荷重を十分に支持可能な強度を有する直線状のユニット群１０を組立てることができ、組立ユニット１と傾斜材１１などからなる少ない種類の階段用部品で容易にかつ短時間で組み立てることができて、露出構造に適した直線状の階段装置を提供することができる。
【００３０】
また、各組立ユニット１の左右の側桁部３と傾斜材１１とを支持連結部７を介して連結固定することにより、人が上り下りする時に生じる上下方向および左右方向の荷重によるユニット群１０の上下方向のたわみと左右方向の振れを低減することができる。
【００３１】
さらに、ユニット群１０を組み立てた状態で仮設工事に使用することができ、仮設工事が終わって、仕上げ用の踏み板１５や蹴り込み板（図示せず）を取り付けることで、外観の仕上げを施すことができ、使い勝手が優れている。
【００３２】
なお、ユニット群１０が上下方向のたわみと左右方向の振れに対する十分な強度や剛性を有する場合には、傾斜材１１を省略してもよい。
［実施の形態２］
屋内または屋外の直線部に配設される露出構造の階段装置に係るもので、複数の複数の同一形状の組立ユニット２１と略同一形状の組立ユニット２１’を使用し、下段側からその上面に順次段積みするように上段側に組立ユニット２１を配置し、順次連結固定してユニット群３０を組み立てるもので、図４〜図６を参照して説明し、実施の形態１と同一部材には同一符号を付して説明を省略する。
【００３３】
組立ユニット２１は側桁部３の高さが高く形成され、左右の側桁部３，３に、側桁本体３ａの下辺部から内側に直角に折り曲げられて底辺板３ｂがそれぞれ形成されている。
そして前記底辺板３ｂの前部が連結用のボルト穴２２ａを有する下段連結部２２に構成され、また側桁部３の上辺部に連結された踏み桟本体２ａ後部が、連結用のボルト穴２３ａを有する上段連結部２３に構成されている。
【００３４】
なお、ここで略同一形状の組立ユニット２１’とは、図６に示す最上段で奥行きが短いものをいい、奥行き以外は同一構造である。
上記階段装置を組み立てる場合、下階の床部ＤＦと上階の床部ＵＦの取付部材１３との間に左右一対の傾斜材１１，１１を設置する。そして複数の組立ユニット１を前後に配置し、複数の組立ユニット２１を下段から後方の上段側に傾斜して段積み状に配置し、上段連結部２２のボルト穴２２ａと上段連結部２３のボルト穴２３ａとに連結具であるボルト・ナットＢ１を挿通して締結し、複数の組立ユニット２１を段積み状に連結して傾斜方向に沿うユニット群３０を形成しつつ、適宜、傾斜材１１のボルト穴１１ａと支持連結部７の支持ボルト穴７ａとを連結具であるボルト・ナットＢ２を挿通して締結し、傾斜材１１と左右の側桁部３，３とを支持連結部７を介して連結する。
【００３５】
この階段装置は、ユニット群３０のこのままの状態で仮設工事に使用され、仮設工事が終わると、仕上げ用の踏み板１５や蹴り込み板１６をそれぞれ取り付けて外観仕上げされる。
【００３６】
上記実施の形態２によれば、実施の形態２と同様の作用効果を奏することができる。
［実施の形態１，２の変形例１，２］
上記実施の形態１，２では、組立ユニット１，２１を正面視で門形に形成したが、変形例１では、図７（ａ）（ｂ）に示すように、斜辺部が階段の傾斜角に沿う平行四辺形の左右の側桁部４１，４１と、これら側桁部４１，４１の上下方向の中央部に一体に連結された踏み桟部４２とを有し、正面視でＨ字形に形成された組立ユニット４３を使用する。そして、左右の側桁部４１の上辺部から内側に折り曲げられた上辺板４１ａの上面全面を、ボルト穴を有する上段連結部４４に構成し、各側桁部４１の下辺部から内側に折り曲げられた下辺板４１ｂの下面全面を、ボルト穴を有する下段連結部４５に構成している。
【００３７】
そして連結具であるボルト・ナットＢ１により上段連結部４４と下段連結部４５とを段積み状に連結固定してユニット群４６を形成する。４７，４７は左右の側桁部４１，４１の奥側の斜辺部に沿ってそれぞれ取り付けられた傾斜材で、左右の側桁部４１，４１の斜辺部が支持連結部４８，４８に構成され、連結具であるボルト・ナットＢ２により傾斜材４７，４７と側桁部４１，４１とが支持連結部４８，４８を介して連結される。もちろん、前記ユニット群４６だけで十分な強度が得られる場合には傾斜材４７，４７を無くすことができる。また外観仕上げ時には、踏み桟部４２上に仕上げ用踏み板（図示せず）や蹴り込み板が取り付けられる。
【００３８】
なお、図７（ｃ）に示すように、左右の側桁部４１の前辺板を上段連結部４４に構成するとともに後辺板を下段連結部４５に構成して、前後に重ねるように連結固定しユニット群４６を組み立ててもよい。
【００３９】
また変形例２として、また図８（ａ）（ｂ）に示すように、斜辺部が階段の傾斜角に沿う平行四辺形の左右の側桁部５１，５１の下辺部に、踏み桟部５２を連結して一体形成した正面視で溝形の組立ユニット５３を使用したものである。各側桁部５１の上辺部から内側に折り曲げられた上辺板５１ａの上面全面が、ボルト穴を有する上段連結部５４に構成され、各側桁部５１の下辺部となる踏み桟本体５２ａの両端部が、ボルト穴を有する下段連結部５５に構成される。そして、連結具であるボルト・ナットＢ１により上段連結部５４と下段連結部５５とを段積み状に連結固定してユニット群５６を形成する。５７，５７は左右の側桁部５１，５１の奥側の斜辺部に沿ってそれぞれ取り付けられた傾斜材で、側桁部５１の斜辺部が支持連結部５８に構成され、連結具であるボルト・ナットＢ２により傾斜材５７と側桁部５１とが支持連結部５８を介して連結される。もちろん、前記ユニット群５６だけで十分な強度が得られる場合には傾斜材５７，５７を無くすことができる。また外観仕上げ時には、踏み桟部５２上に仕上げ用踏み板（図示せず）が取り付けられる。
【００４０】
上記変形例１，２によれば、実施の形態１，２と同様の作用効果を奏することができる。
［実施の形態３］
屋内または屋外のアール部に配設される露出構造の階段装置に係るもので、複数の同一形状の組立ユニット６１を、下段の組立ユニット６１の背面に上段側の組立ユニット６１を配置して順次前後に重ねるように連結固定し、ユニット群６０を組み立てるものである。図９，図１０を参照して説明する。
【００４１】
前記アール部の階段装置は、平面視で湾曲軸Ｏを中心とする半径Ｒ１の内周線と半径Ｒ２の外周線の間に形成されている。前記組立ユニット６１は、湾曲軸Ｏから所定の分割角θで広がる扇形台の板状の踏み桟部６２と、この踏み桟部２の左右両側から一体に垂下された内外の側桁部６３Ａ，６３Ｂとで正面視が門形状に形成されている。
【００４２】
前記踏み桟部６２は、扇形台状の踏み桟本体６２ａと、踏み桟本体６２ａの前辺部および後辺部に沿って下方に直角に折り曲げられた補強前板６２ｂおよび補強後板６２ｃとを有している。
【００４３】
また内側桁部６３Ａと外側桁部６３Ｂは、内半径Ｒ１と外半径Ｒ２とに沿う平面視円弧状で、内側桁部６３Ａおよび外側桁部６３Ｂは、それぞれ円弧状断面の側桁本体６３ａと、側桁本体６３ａの前辺部および後辺部からそれぞれ内側に直角に折り曲げられた前辺板６３ｂおよび後辺板６３ｃとを有している。
【００４４】
そして、前記側桁部６３の前辺板６３ｂの下部が、連結用のボルト穴６５ａを有する下段連結部６５に構成され、また側桁部６３の後辺板６３ｃの上部が、連結用のボルト穴６６ａを有する上段連結部６６に構成されている。なお、直線部の階段装置と同様に、アール部に沿って配設される螺旋状の傾斜材を設けて連結支持することもできる。これにより、荷重によるユニット群６０の上下方向のたわみと左右方向の振れを低減させることができる。
【００４５】
上記階段装置を組み立てる場合、複数の組立ユニット６１を前後に配置し、下段連結部６５のボルト穴６５ａと上段連結部６６のボルト穴６６ａに連結具であるボルト・ナットＢ１を挿通して締結し、下段側の組立ユニット６１から上段側の組立ユニット６１に順次連結することにより、アール部の傾斜方向に沿うユニット群６０を組み立てて、ユニット群６０の上下方向のたわみと左右方向の振れを低減させることもできる。
【００４６】
図示しないが、組立ユニット６０を支持する階段用支柱材や公知の構造の階段手すりが適宜取り付けられる。またこの階段装置は、ユニット群６０のこのままの状態で仮設工事に使用され、仮設工事が終わると、仕上げ用の踏み板（図示せず）や蹴り込み板をそれぞれ取り付けて外観仕上げされる。
【００４７】
上記実施の形態３によれば、同一形状の複数の組立ユニット６１を上段連結部６６および下段連結部６５を介して互いに連結することにより、階段にかかる荷重を十分に支持可能な強度を有するアール部に沿う円弧状のユニット群６０を組立てることができ、少ない種類の階段用部品で容易にかつ短時間で組み立てることができて、露出構造に適した直線状の階段装置を提供することができる。
【００４８】
なお、ユニット群６０を組み立てた状態で、仮設工事に使用することができ、仮設工事が終わって、仕上げ用の踏み板（図示せず）や蹴り込み板を取り付けることで、外観の仕上げを施すことができ、使い勝手がよい。
【００４９】
［実施の形態４］
屋内または屋外のアール部に配設される露出構造の階段装置に係るもので、複数の同一形状の組立ユニット７１を下段からその上面に順次重ねて段積み状に連結固定しユニット群７０を組み立てるものである。図１１，図１２を参照して説明し、実施の形態３と同一部材には同一符号を付して説明を省略する。
【００５０】
組立ユニット７１は、内外の側桁部６３Ａ，６３Ｂに、側桁本体６３ａの下辺部を直角に内側に折り曲げた底辺板６３ｄが設けられている。
そして、前記側桁部６３の底辺板６３ｄの前部が、ボルト穴７５ａを有する下段連結部７５に構成され、また側桁部６３の近傍の踏み板本体６３ａの両端部で後部が、連結用のボルト穴７６ａを有する上段連結部７６に構成されている。
【００５１】
上記階段装置を組み立てる場合、複数の組立ユニット７１を前後に配置し、下段連結部７５のボルト穴７５ａと上段連結部７６のボルト穴７６ａに連結具であるボルト・ナットＢ１を挿通して締結し、下段側および上段側に隣接する複数の組立ユニット７１を順次段積み状に連結固定することにより、アール部の傾斜方向に沿うユニット群７０を組み立てることができる。
【００５２】
上記実施の形態４によれば、実施の形態３と同様の作用効果を奏することができる。
なお、実施の形態３，４に記載のアール部に設置される階段装置において、組立ユニットの踏み桟部と側桁部を、図７に示すＨ字形や図８に示す溝形に形成することもできる。
【００５３】
［実施の形態５］
屋内または屋外で１８０°の折れ曲がり部に配設される露出構造の階段装置に係るもので、同一形状の組立ユニット８１Ａ，８１Ｂを、正常姿勢と前後を逆にした逆姿勢のものとを交互に配置して、その後面に順次重ねるように順次連結固定し、ユニット群８０を組み立てるものである。図１３〜図１５を参照して説明する。
【００５４】
前記組立ユニット８１Ａ，８１Ｂは、直角台形状の踏み桟部８２と、この踏み桟部８２の左右両側（後述する上辺部、下辺部）で下方に直角に折り曲げて形成された内外の側桁部８３Ａ，８３Ｂとで正面視が門形に形成されている。そして正常姿勢で最下段で正常姿勢の組立ユニット８１Ａ、中下段で逆姿勢の組立ユニット８１Ｂ、中上段で正常姿勢の組立ユニット８１Ａ、最上段で逆姿勢の組立ユニット８１Ｂの合計４個のユニット群８０で折れ曲がり部に沿って配設される。
【００５５】
前記踏み桟部８２は、互いに平行な上辺部および下辺部と、垂辺部および４５度の傾斜角を有する斜辺部からなる直角台形で板状の踏み桟本体８２ａと、踏み桟本体８２の上辺部および下辺部から下方に垂直に折り曲げられた補強前板８２ｂと補強後板８２ｃとを有している。
【００５６】
内外の側桁部８３Ａ，８３Ｂは、板状の側桁本体８３ａと、側桁本体８３ａの前後辺部からそれぞれ内側に直角に折り曲げられた前辺板８３ｂおよび斜辺部に沿って４５度で折り曲げられた後辺板８３ｃをそれぞれ有している。
【００５７】
そして内外の側桁部８３Ａ，８３Ｂの前辺板８３ｂの下部が、連結用のボルト穴８５ａを有する下段連結部８５に構成され、また側桁部８３Ａ，８３Ｂの後辺板８３ｃの上部が、連結用のボルト穴８６ａを有する上段連結部８６に構成されている。
【００５８】
図１５に示すように、たとえば実施の形態１に示した直線状のユニット群１０とユニット群１０との間に設置され、最下段の組立ユニット８１Ａと最上段の組立ユニット８１Ｂとが組立ユニット１にそれぞれが接続される。
【００５９】
上記階段装置を組み立てる場合、最下段から中下段、中上段、最上段の各組立ユニット８１Ａ，８１Ｂを順次配置し、上段連結部８５のボルト穴８５ａと上段連結部８６のボルト穴８６ａに連結具であるボルト・ナットＢ１を挿通して締結し、下段側から上段側に順次前後に重ねるように連結固定することにより、折れ曲がり部に沿うユニット群８０が形成される。
【００６０】
この階段装置は、ユニット群８０のこのままの状態で仮設工事に使用され、仮設工事が終わると、仕上げ用の踏み板８７や蹴り込み板をそれぞれ取り付けて外観仕上げされる。
上記実施の形態１によれば、対称形状の複数の組立ユニット１を上段連結部８６および下段連結部８５を介して交互に連結することにより、階段にかかる荷重を十分に支持可能な強度を有する折れ曲がり部のユニット群８０を組立てることができ、少ない種類の階段用部品で容易にかつ短時間で組み立てることができて、露出構造に適した折れ曲がり部の階段装置を提供することができる。
【００６１】
さらに、ユニット群８０を組み立てた状態で、仮設工事に使用することができ、仮設工事が終わって、仕上げ用の踏み板８７や蹴り込み板を取り付けることで、外観の仕上げを施すことができ、使い勝手が優れている。
【００６２】
上記実施の形態５によれば、同一形状の複数の組立ユニット１を上段連結部６および下段連結部５を介して前後に重ねるように互いに連結することにより、階段にかかる荷重を十分に支持可能な強度を有する折れ曲がり部に沿うユニット群８０を組立てることができ、少ない種類の階段用部品で容易にかつ短時間で組み立てることができて、露出構造に適した直線状の階段装置を提供することができる。
【００６３】
［実施の形態６］
屋内または屋外で１８０°の折れ曲がり部に配設される露出構造の階段装置に係るもので、組立ユニット９１Ａ，９１Ｂを順次段積み状に重ねるようにしてユニット群９０を組み立てるものである。図１６〜図１８を参照して説明し、実施の形態５と同一部材には同一符号を付して説明を省略する。
【００６４】
内外の側桁部８３Ａ，８３Ｂは、板状の側桁本体８３ａと、側桁本体８３ａの底辺部から内側に直角に折り曲げられた底辺板８３ｄ，８３ｄをそれぞれ有している。
そして側桁部８３Ａ，８３Ｂの底辺板８３ｄ，８３ｄの前部寄りが、連結用のボルト穴９５ａを有する下段連結部９５に構成され、また側桁部８３Ａ，８３Ｂ近傍の踏み桟本体８２ａの後部が、連結用のボルト穴９６ａを有する上段連結部９６に構成されている。
【００６５】
上記階段装置を組み立てる場合、最下段から中下段、中上段、最上段の組立ユニット９１Ａ，９１Ｂを順次段積状に配置し、上段連結部９５のボルト穴９５ａと上段連結部９６のボルト穴９６ａに連結具であるボルト・ナットＢ１を挿通して締結し、下段側から上段側に組立ユニット９１Ａ，９１Ｂ，９１Ａ，９１Ｂを順次段状に積み重ねて連結固定することにより、折れ曲がり部に沿うユニット群９０が形成される。
【００６６】
この階段装置は、ユニット群９０のこのままの状態で仮設工事に使用され、仮設工事が終わると、仕上げ用の踏み板８７や蹴り込み板をそれぞれ取り付けて外観仕上げされる。
上記実施の形態６によれば、実施の形態５と同様の作用効果を奏することができる。
【００６７】
なお、実施の形態５，６の折り返し部に設置される階段装置において、組立ユニットの踏み桟部と側桁部を、図７に示すＨ字形や図８に示す溝形に形成することもできる。
【図面の簡単な説明】
【００６８】
【図１】直線部に設置される本発明の階段装置の実施の形態１を示す要部の分解斜視図である。
【図２】同階段装置の要部を示し、一部を切欠いた部分側面図である。
【図３】同階段装置の全体側面図である。
【図４】直線部に設置される本発明の階段装置の実施の形態２を示す要部の分解斜視図である。
【図５】同階段装置の要部を示し、一部を切欠いた部分側面図である。
【図６】同階段装置の全体側面図である。
【図７】直線部に設置される本発明の階段装置の変形例１を示す外観図で、（ａ）は一部を分解した斜視図、（ｂ）は部分側面図、（ｃ）は他の変形例を示す一部を分解した概略斜視図である。
【図８】直線部に設置される本発明の階段装置の変形例２を示す外観図で、（ａ）は一部を分解した斜視図、（ｂ）は部分側面図である。
【図９】アール部に設置される本発明の階段装置の実施の形態３を示す組立ユニットの斜視図である。
【図１０】同階段装置の全体平面図である。
【図１１】アール部に設置される本発明の階段装置の実施の形態４を示す組立ユニットの斜視図である。
【図１２】同階段装置の全体平面図である。
【図１３】折り返し部に設置される本発明の階段装置の実施の形態５を示すユニット群の斜視図である。
【図１４】同ユニット群の分解斜視図である。
【図１５】折り返し部と直線部の階段装置を示す全体側面図である。
【図１６】折り返し部に設置される本発明の階段装置の実施の形態６を示すユニット群の斜視図である。
【図１７】同ユニット群の分解斜視図である。
【図１８】折り返し部と直線部の階段装置を示す全体側面図である。
【符号の説明】
【００６９】
Ｏ    湾曲軸
１    組立ユニット
２    踏み桟部
３    側桁部
４    補強凹部
５    下段連結部
６    上段連結部
７    連結支持部
１０    ユニット群
１１    傾斜材
１５    仕上用の踏み板
２１    組立ユニット
２２    下段連結部
２３    上下段連結部
３０    ユニット群
４１    側部桁
４２    踏み桟部
４３    組立ユニット
４４    上段連結部
４５    下段連結部
４６    ユニット群
４７    傾斜材
５１    側部桁
５２    踏み桟部
５３    組立ユニット
５４    上段連結部
５５    下段連結部
５６    ユニット群
６０    ユニット群
６１    組立ユニット
６２    踏み桟部
６３Ａ，６３Ｂ  側桁部
６４    補強凹部
６５    下段連結部
６６    上段連結部
６６ａ  ボルト穴
７０    ユニット群
７１    組立ユニット
７５    下段連結部
７６    上下段連結部
８０    ユニット群
８１Ａ，８１Ｂ  組立ユニット
８２    踏み桟部
８３Ａ，８３Ｂ  側桁部
８５    下段連結部
８６    上下段連結部
９０    ユニット群
９１Ａ，９１Ｂ  組立ユニット
９５    下段連結部
９６    上下段連結部
【図１】
2007126912.tif 000003
【図２】
2007126912.tif 000004
【図３】
2007126912.tif 000005
【図４】
2007126912.tif 000006
【図５】
2007126912.tif 000007
【図６】
2007126912.tif 000008
【図７】
2007126912.tif 000009
【図８】
2007126912.tif 000010
【図９】
2007126912.tif 000011
【図１０】
2007126912.tif 000012
【図１１】
2007126912.tif 000013
【図１２】
2007126912.tif 000014
【図１３】
2007126912.tif 000015
【図１４】
2007126912.tif 000016
【図１５】
2007126912.tif 000017
【図１６】
2007126912.tif 000018
【図１７】
2007126912.tif 000019
【図１８】
2007126912.tif 000020